(57)【要約】      （修正有）【課題】その日の気分や使用する場所等に応じて表面の装飾模様を簡単に変えることができるお洒落な着せ替え電卓を提供する。【解決手段】電卓本体１の上面に着脱自在に被装される装飾パネル２と、該装飾パネル２の上面に被装されるパネルカバー３とを備える。装飾パネル２及びパネルカバー３は、少なくとも操作キー１ａ、表示窓１ｂ、太陽電池１ｃと整合する透孔２ａ，２ｂ，２ｃ、３ａ，３ｂ，３ｃが形成される。パネルカバー３は、四隅に小さな磁石を介して電卓本体１に着脱自在に止着しても良い。更に、予め被装されている装飾パネル２を他のデザインが表示されている装飾パネル２と取り替えることで、同じ電卓でも全く別の印象を与える電卓に変えることができるため、販促品やノベルティグッズとしての商品価値を高めることができるお洒落な着せ替え電卓を提供できる。【選択図】図５
0003131071.tif 000002
【実用新案登録請求の範囲】
【請求項１】
電卓本体の少なくとも正面に着脱自在に被装される装飾パネルと、該装飾パネルの上面に被装されるパネルカバーとを備えたことを特徴とする着せ替え電卓。
【請求項２】
前記装飾パネル及び／又はパネルカバーは、少なくとも操作キーと整合する透孔が形成されていることを特徴とする請求項１に記載の着せ替え電卓。
【請求項３】
前記装飾パネルとパネルカバーとを一体的に成形したことを特徴とする請求項１又は２に記載の着せ替え電卓。
【請求項４】
前記パネルカバーは、磁石を介して前記電卓本体に着脱自在に止着されることを特徴とする請求項１、２又は３に記載の着せ替え電卓。
【考案の詳細な説明】
【技術分野】
【０００１】
本考案は、その日の気分や使用する場所等に応じて表面の装飾模様を簡単に変えることができるお洒落な着せ替え電卓に関する。
【背景技術】
【０００２】
従来、電卓としては、例えば、演算子キーを入力して計算する毎にその回数をカウントするアイテムカウンターと、計算結果を求める毎にその回数をカウントするグランドトータルカウンター及びメモリーに加算又は減算する毎にその回数をカウントするメモリーカウンターとを備え、更に、前記アイテムカウンター、グランドトータルカウンター又はメモリーカウンターの中から一のカウンターを選択するための指定スイッチと、該指定スイッチで指定されたカウンターのカウント数を表示画面上にカウンター表示する制御手段とを備えたものがある（特許文献１参照）。
【特許文献１】特開平１１−１０２３４６号公報
【考案の開示】
【考案が解決しようとする課題】
【０００３】
しかしながら、上述した特開平１１−１０２３４６号公報に開示された電卓にあっては、電卓本体の表面に演算子キー、アイテムカウンター、メモリーカウンターなどが所狭しと一面に設置されているため、表面を装飾するスペースもなく、また、いつも表面が同じパネルであることも相俟って、経年変化と共に代わり映えのしない表面パネルに飽きてしまうといった問題があり、昨今では、その日の気分や使用する場所等に応じて表面の装飾模様（パネル）を任意に取り変えることができるお洒落な電卓が要望されている。
【０００４】
本考案はこのような従来の問題点及び要望に鑑みてなされたもので、その日の気分や使用する場所等に応じて表面の装飾模様を簡単に変えることができるお洒落な着せ替え電卓を提供することを目的としたものである。
【課題を解決するための手段】
【０００５】
上述の如き従来の問題点を解決し、所期の目的を達成するため本考案の要旨とする構成は、電卓本体の上面に着脱自在に被装される装飾パネルと、該装飾パネルの上面に被装されるパネルカバーとを備える着せ替え電卓に存する。
【０００６】
また、前記装飾パネル及び／又はパネルカバーは、少なくとも操作キーと整合する透孔を形成せしめるのが良い。
【０００７】
更に、前記装飾パネルとパネルカバーとを一体的に形成しても良く、延いては、前記パネルカバーを磁石を介して前記電卓本体に着脱自在に止着するのが良い。
【考案の効果】
【０００８】
本考案は上述のように構成され、電卓本体の上面に着脱自在に被装される装飾パネルと、該装飾パネルの上面に被装されるパネルカバーとを備えたことによって、パネルカバーを取り外すだけの簡単操作で、装飾パネルを取り替えることができるため、その日の気分や使用する場所等に応じて表面の装飾模様を簡単に変えることができるといった効果を奏する。
【０００９】
更に、前記装飾パネル及び／又はパネルカバーには、少なくとも操作キーと整合する透孔が形成されていることによって、装飾パネルを取り替える際、操作キー、表示窓に前記透孔を整合させるだけで、同装飾パネルの位置決めが簡単にできるため、誰にでも簡単に表面の装飾模様を着せ替えできるといった効果を奏する。
【００１０】
また、前記装飾パネルとパネルカバーを一体的に成形すれば、部品点数の削減と共に、更なるコストの低減化を実現でき、また、前記パネルカバーを磁石を介して電卓本体に着脱自在に止着することによって、経年変化と共にパネルカバーが意に反してはずれ落ちてしまうといった危惧をも一掃することができる。
【００１１】
このように本考案は、その日の気分や使用する場所等に応じて表面の装飾模様を簡単に着せ替えることができ、また、構成が単純であるため、大量生産に適し価格も低廉なものとして需用者に供給できるなど、本考案を実施することはその実益的価値が甚だ大である。
【考案を実施するための最良の形態】
【００１２】
電卓本体の上面に着脱自在に被装される装飾パネルと、該装飾パネルの上面に被装されるパネルカバーとを備え、前記装飾パネルには、少なくとも操作キー及び表示窓と整合する透孔を形成すると共に、前記パネルカバーを磁石を介して前記電卓本体に着脱自在に止着せしめるのが良い。
【実施例】
【００１３】
次に本考案の実施の一例を図面を参照しながら説明する。図中Ａは、本考案に係る着せ替え電卓であり、この着せ替え電卓Ａは、図１乃至図２に示すように、
電卓本体１の上面に着脱自在に被装される装飾パネル２と、該装飾パネル２の上面に被装されるパネルカバー３とを備える。
【００１４】
前記電卓本体１は、正方形状の中空体に形成されており、表面に表示窓１ａ、操作キー１ｂ及び太陽電池１ｃが装着されている。
【００１５】
また、前記表示窓１ａは、電卓本体１の幅方向上端１ａに沿って平行に形成された液晶パネルであり、１２桁をフルに表示することができ、３桁毎にカンマを入れて表示される。
【００１６】
更に、操作キー１ｂは、図３に示すように、電卓本体１の表面に突出すべく形成された丸型のボタンキーからなり、各キーの表面に文字・記号が表示されている。
【００１７】
因に、斯かる操作キー１ｂの種類としては、例えば、数字キー１ｂ００と〜１ｂ９  、メモリークリアーキー１ｂ１０と、メモリーリターンキー１ｂ１１と、マイナスメモリーシフトキー１ｂ１２と、プラスメモリーシフトキー１ｂ１３と、電源オンキー１ｂ１４と、パーセントキー１ｂ１５と、置数訂正キー１ｂ１６と、四則計算(÷、×、−、＋)キー１ｂ１７〜１ｂ２０と、イコールキー１ｂ２１と、三角キー１ｂ２２と、小数点キー１ｂ２３などが挙げられる。            
【００１８】
また、太陽電池１ｃは、Solar Cell或いはPhotovoltaicと呼ばれ、太陽光のエネルギーを直接電気に換えるために使用されるものであり、パソコンの集積回路でも使われている半導体を使用している。
【００１９】
現在、良く使用されている半導体としては、例えば、シリコン結晶が挙げられれ、シリコン結晶をｎ型(−)とｐ型(＋)という積層加工を施して、光を当てることで光電効果が発生し発電する仕組みとなっている。
【００２０】
換言すれば、半導体は、シリコン（珪素）でできており、まず、そのシリコンを溶かし、結晶化させることにより高純度のシリコンを作り上げる。次いで、このシリコン結晶に不純物としてリン原子を入れるとマイナス電子をもったシリコンができ（これをｎ型シリコンと云う）、また、不純物としてボロン原子を入れることでプラス電子をもったｐ型シリコンになるのである。
【００２１】
但し、太陽電池１ｃ単体では、バッテリーのような蓄電機能がないため、昼間のみならず、夜間でも使用できるように、本考案の着せ替え電卓Ａでは、内部ボタン電池や蓄電池(図示せず)を別途に付設しており、これらと太陽電池１ｃとを電気的に接続させた二電源方式を採用している。
【００２２】
一方、前記装飾パネル２は、例えば、紙、合成紙、合成樹脂等の適宜素材にて形成されたシートからなり、少なくとも前記操作キー１ａ、表示窓１ｂ、太陽電池１ｃと整合する透孔２ａ，２ｂ，２ｃ…が形成されている。
【００２３】
他方、前記パネルカバー３は、例えば、透明若しくは半透明の合成樹脂材からなり、四隅に小さな磁石４(図７参照)を介して前記電卓本体１に着脱自在に止着されている。
【００２４】
また、このパネルカバー３は、装飾パネル２と同様、少なくとも前記操作キー１ａ、表示窓１ｂ、太陽電池１ｃと整合する透孔３ａ，３ｂ，３ｃ…が形成されている。
【００２５】
このように構成される本考案の着せ替え電卓Ａは、パネルカバー３を磁石６の接着力に抗して指で引き上げるだけで、簡単に外すことができ、次いで、予め被装されている装飾パネル２を他のデザインが表示されている装飾パネル２（図６乃至図８参照）と取り替えることで、同じ電卓でも全く別の印象を与える電卓に変えることができるため、販促品やノベルティグッズとしての商品価値を高めることができるお洒落な着せ替え電卓を提供できるのである。
【００２６】
尚、本考案の着せ替え電卓Ａは本実施例に限定されることなく、本考案の目的の範囲内で自由に設計変更し得るものであり、本考案はそれらの全てを包摂するものである。例えば、本実施例では太陽電池１ｃを電卓本体１の正面に設けているが、これに限定されることなく、電卓本体１の外周端面（頂部、左側端面及び／又は右側端面）に設けても良い。
【００２７】
また、パネルカバー３に装飾模様を一体的に施せば、装飾パネル２と兼用できるため、部品点数の削減と共に、更なるコストの低減化を実現できることは云うまでもない。
【図面の簡単な説明】
【００２８】
【図１】本考案に係る着せ替え電卓の第１実施例を示す正面図である。
【図２】同着せ替え電卓の平面図である。
【図３】同着せ替え電卓の右側面図である。
【図４】同着せ替え電卓の斜視図である。
【図５】同着せ替え電卓の組立分解斜視図である。
【図６】同着せ替え電卓の第２実施例を示す説明図である。
【図７】同着せ替え電卓の第３実施例を示す斜視図である。
【図８】同着せ替え電卓の第４実施例を示す斜視図である。
【符号の説明】
【００２９】
１  電卓本体
１ａ  表示窓
１ｂ  操作キー
１ｂ０  数字０キー
１ｂ１  数字１キー
１ｂ２  数字２キー
１ｂ３  数字３キー
１ｂ４  数字４キー
１ｂ５  数字５キー
１ｂ６  数字６キー
１ｂ７  数字７キー
１ｂ８  数字８キー
１ｂ９  数字９キー
１ｂ００数字00キー
１ｂ１０メモリークリアーキー
１ｂ１１メモリーコールキー
１ｂ１２マイナスメモリーシフトキー
１ｂ１３プラスメモリーシフトキー
１ｂ１４電源オンキー
１ｂ１５パーセントキー
１ｂ１６置数訂正キー
１ｂ１７乗法計算キー
１ｂ１８除法計算キー
１ｂ１９減法計算キー
１ｂ２０加法計算キー
１ｂ２１イコールキー
１ｂ２２三角キー
１ｂ２３少数点キー
１ｃ  太陽電池
２  装飾パネル
２ａ  透孔（表示窓用）
２ｂ  透孔（操作キー用）
２ｃ  透孔（太陽電池用）
３  パネルカバー
３ａ  透孔（表示窓用）
３ｂ  透孔（操作キー用）
３ｃ  透孔（太陽電池用）
４  磁石
【図１】
0003131071.tif 000003
【図２】
0003131071.tif 000004
【図３】
0003131071.tif 000005
【図４】
0003131071.tif 000006
【図５】
0003131071.tif 000007
【図６】
0003131071.tif 000008
【図７】
0003131071.tif 000009
【図８】
0003131071.tif 000010